(57)【要約】【課題】ポリゴンモーターの挙動異常によって画質が低下した印刷物の出力を未然に防止可能な光走査装置、画像形成装置、及び駆動制御方法を提供すること。【解決手段】画像形成装置は、光源から射出される光を走査するポリゴンミラー、及びポリゴンミラーを回転させるポリゴンモーターを含む走査ユニットを備え、印刷処理の実行前に走査ユニットの駆動音の音圧を検出し（ステップＳ１１）、検出された音圧の変動量が予め定められた第１閾値を超える場合に（ステップＳ１２のＹｅｓ）、ポリゴンモーターを停止させる（ステップＳ１２１）。【選択図】図６
2018072552.tif 000002
【特許請求の範囲】
【請求項１】
光源から射出される光を走査するポリゴンミラー、及び前記ポリゴンミラーを回転させるポリゴンモーターを含む走査ユニットと、
印刷処理の実行前に前記走査ユニットの駆動音の音圧を検出する音圧検出部と、
前記音圧検出部によって検出される前記音圧の変動量が予め定められた第１閾値を超える場合に、前記ポリゴンモーターを停止させる駆動制御部と、
を備える光走査装置。
【請求項２】
前記音圧検出部によって検出される前記音圧の変動量が前記第１閾値を超える場合に、前記ポリゴンモーターの異常を報知する報知処理部を更に備える、
請求項１に記載の光走査装置。
【請求項３】
前記駆動制御部は、前記音圧検出部によって検出される前記音圧の変動量が前記第１閾値以下であって且つ前記第１閾値より小さい第２閾値を超える場合に、前記ポリゴンモーターを予め定められた待機時間の間停止させて、前記待機時間の経過後に前記ポリゴンモーターの駆動を再開させる、
請求項１又は２に記載の光走査装置。
【請求項４】
前記駆動制御部は、前記ポリゴンモーターの駆動の再開後に前記音圧検出部によって検出される前記音圧の変動量が前記第１閾値以下であって且つ前記第２閾値を超える場合に、前記ポリゴンモーターに入力される駆動信号の周波数を前記音圧に応じて変動させる、
請求項３に記載の光走査装置。
【請求項５】
前記音圧は、前記ポリゴンミラーの駆動音の音圧である、
請求項１〜４のいずれかに記載の光走査装置。
【請求項６】
請求項１〜５のいずれかに記載の光走査装置を備える画像形成装置。
【請求項７】
光源から射出される光を走査するポリゴンミラー、及び前記ポリゴンミラーを回転させるポリゴンモーターを含む走査ユニットを備える光走査装置で実行される駆動制御方法であって、
印刷処理の実行前に前記走査ユニットの駆動音の音圧を検出する検出ステップと、
前記検出ステップによって検出される前記音圧の変動量が予め定められた第１閾値を超える場合に、前記ポリゴンモーターを停止させる制御ステップと、
を含む駆動制御方法。
【発明の詳細な説明】
【技術分野】
【０００１】
本発明は、電子写真方式の画像形成装置、画像形成装置に設けられる光走査装置、及び光走査装置で実行される駆動制御方法に関する。
【背景技術】
【０００２】
電子写真方式の画像形成装置は、感光体ドラムなどの像担持体上に静電潜像を形成する光走査装置を備える。例えば、光走査装置は、光源から射出された光を像担持体上に走査するポリゴンミラーと、ポリゴンミラーを回転させるポリゴンモーターとを備える。なお、ポリゴンモーターの駆動音に異音が含まれているか否かを判定可能な構成が知られている（特許文献１参照）。
【先行技術文献】
【特許文献】
【０００３】
【特許文献１】特開２０１０−２３０６０６号公報
【発明の概要】
【発明が解決しようとする課題】
【０００４】
ところで、画像形成装置では、ポリゴンモーターの経時劣化などにより、ポリゴンモーターの回転速度が周期的に変動することがある。この場合、像担持体上に形成される静電潜像に含まれる画素各々の幅が不揃いとなって、画像形成装置で印刷される画像の画質が低下することがある。これに対し、ポリゴンモーターの交換又はメンテナンスによって画質を改善させることが可能である。しかしながら、画像形成装置で画質の低下が確認された後にポリゴンモーターの交換又はメンテナンスが行われる場合には、画質が低下した印刷物の出力を未然に防止することができない。
【０００５】
本発明の目的は、ポリゴンモーターの挙動異常によって画質が低下した印刷物の出力を未然に防止可能な光走査装置、画像形成装置、及び駆動制御方法を提供することにある。
【課題を解決するための手段】
【０００６】
本発明の一の局面に係る光走査装置は、走査ユニットと、音圧検出部と、駆動制御部とを備える。前記走査ユニットは、光源から射出される光を走査するポリゴンミラー、及び前記ポリゴンミラーを回転させるポリゴンモーターを含む。前記音圧検出部は、印刷処理の実行前に前記走査ユニットの駆動音の音圧を検出する。前記駆動制御部は、前記音圧検出部によって検出される前記音圧の変動量が予め定められた第１閾値を超える場合に、前記ポリゴンモーターを停止させる。
【０００７】
本発明の他の局面に係る画像形成装置は、前記光走査装置を備える。
【０００８】
本発明の他の局面に係る駆動制御方法は、光源から射出される光を走査するポリゴンミラー、及び前記ポリゴンミラーを回転させるポリゴンモーターを含む走査ユニットを備える光走査装置で実行され、検出ステップと、制御ステップとを含む。前記検出ステップでは、印刷処理の実行前に前記走査ユニットの駆動音の音圧が検出される。前記制御ステップでは、前記検出ステップによって検出される前記音圧の変動量が予め定められた第１閾値を超える場合に、前記ポリゴンモーターが停止される。
【発明の効果】
【０００９】
本発明によれば、ポリゴンモーターの挙動異常によって画質が低下した印刷物の出力を未然に防止可能な光走査装置、画像形成装置、及び駆動制御方法が実現される。
【図面の簡単な説明】
【００１０】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の光走査部の構成を示す図である。
【図４】図４は、本発明の実施形態に係る画像形成装置の音圧センサーによって検出される音圧の一例を示す図である。
【図５】図５は、本発明の実施形態に係る画像形成装置のポリゴンモーターに入力される駆動信号の一例を示す図である。
【図６】図６は、本発明の実施形態に係る画像形成装置で実行される駆動制御処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１３】
画像形成装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１４】
画像形成装置１０は、図１及び図２に示されるように、ＡＤＦ１、画像読取部２、画像形成部３、給紙部４、制御部５、及び操作表示部６を備える。
【００１５】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１６】
画像形成部３は、画像読取部２で読み取られた画像データ又は外部のパーソナルコンピューター等の情報処理装置から入力された画像データに基づいて、電子写真方式で画像を形成する画像形成処理（印刷処理）を実行可能である。具体的に、画像形成部３は、図１に示されるように、感光体ドラム３１、帯電器３２、光走査部３３、現像器３４、転写ローラー３５、クリーニング装置３６、定着ローラー３７、加圧ローラー３８、及び排紙トレイ３９を備える。
【００１７】
給紙部４は、給紙カセット、及び複数の搬送ローラーを備え、前記給紙カセットに収容されるシートを画像形成部３に供給する。なお、前記給紙カセットに収容されるシートは、紙、コート紙、ハガキ、封筒、及びＯＨＰシートなどのシート材料である。
【００１８】
画像形成部３では、給紙部４から供給されるシートに以下の手順で画像が形成され、画像形成後のシートが排紙トレイ３９に排出される。
【００１９】
まず、帯電器３２によって感光体ドラム３１の表面が所定の電位に一様に帯電される。次に、光走査部３３により感光体ドラム３１の表面に画像データに基づく光が照射される。これにより、感光体ドラム３１の表面に画像データに対応する静電潜像が形成される。そして、感光体ドラム３１上の静電潜像は現像器３４によってトナー像として現像（可視像化）される。なお、現像器３４には、画像形成部３に着脱可能なトナーコンテナ３４Ａからトナー（現像剤）が補給される。
【００２０】
続いて、感光体ドラム３１に形成されたトナー像は転写ローラー３５によってシートに転写される。その後、シートに転写されたトナー像は、そのシートが定着ローラー３７及び加圧ローラー３８の間を通過する際に定着ローラー３７で加熱されて溶融定着する。なお、感光体ドラム３１の表面に残存したトナーはクリーニング装置３６で除去される。
【００２１】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。前記ＥＥＰＲＯＭは、不揮発性の記憶部である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２２】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２３】
［光走査部３３の構成］
次に、図２及び図３を参照しつつ、光走査部３３について説明する。ここで、図３は光走査部３３の構成を示す斜視図である。
【００２４】
光走査部３３は、画像データに対応する光を感光体ドラム３１上に走査して感光体ドラム３１上に画像データに対応する静電潜像を形成する。
【００２５】
具体的に、光走査部３３は、図２及び図３に示されるように、光源３３１、走査ユニット３３２、ｆθレンズ３３３、ｆθレンズ３３４、全反射ミラー３３５、光センサー３３６、音圧センサー３３７、これら構成要素を収容する筐体３３０、及び筐体３３０に形成された射出口３３０Ａを備える。なお、画像形成部３において、光走査部３３は、感光体ドラム３１の上方であって、射出口３３０Ａの長手方向と感光体ドラム３１の軸方向とが平行となる位置に配置される。
【００２６】
光源３３１は、画像データに対応する光を射出する。例えば、光源３３１はレーザーダイオードである。
【００２７】
走査ユニット３３２は、図２及び図３に示されるポリゴンミラー３３２Ａ、及びポリゴンモーター３３２Ｂを含む。
【００２８】
ポリゴンミラー３３２Ａは、光源３３１から射出される光を感光体ドラム３１上に走査する。例えば、ポリゴンミラー３３２Ａは、図３に示されるように平面視が正五角形に形成されており、光源３３１から射出される光を反射する複数の反射面を有する。
【００２９】
ポリゴンミラー３３２Ａは、ポリゴンモーター３３２Ｂから供給される回転駆動力により図３に示される回転方向Ｄ１に回転する。これにより、ポリゴンミラー３３２Ａは、回転に伴って前記反射面各々で順に光を走査させる。
【００３０】
ポリゴンモーター３３２Ｂは、ポリゴンミラー３３２Ａに回転駆動力を供給して、ポリゴンミラー３３２Ａを回転させる。例えば、ポリゴンモーター３３２ＢはＤＣブラシレスモーターである。ポリゴンモーター３３２Ｂは、制御部５から入力される駆動信号の周波数に応じた速度で回転する。
【００３１】
ｆθレンズ３３３及びｆθレンズ３３４は、ポリゴンミラー３３２Ａにより等角速度で走査される光を走査方向Ｄ２（図３参照）に沿って等速走査される光に変換する。全反射ミラー３３５は、ｆθレンズ３３４を通過した光を感光体ドラム３１の表面に向けて反射させる。射出口３３０Ａは、全反射ミラー３３５で反射された光が感光体ドラム３１の表面に向けて射出される長尺状の開口及び前記開口を塞ぐ透明なガラス板又はアクリル板を有する。
【００３２】
光センサー３３６は、ポリゴンミラー３３２Ａによる光の走査領域における予め定められた検出位置で、ポリゴンミラー３３２Ａにより走査される光を検出する。例えば、光センサー３３６は、フォトダイオードを含む電子回路である。例えば、前記検出位置は、走査方向Ｄ２の上流側であって全反射ミラー３３５に反射されない走査領域外の位置である。光センサー３３６は、ポリゴンミラー３３２Ａにより走査される光の検出に応じた検出信号を出力する。
【００３３】
光センサー３３６から出力される前記検出信号は、制御部５に入力される。制御部５は、前記検出信号の入力タイミングに基づいて、光源３３１からの画像データの１ラインに対応する光の射出開始タイミング、即ち走査方向Ｄ２における静電潜像の書き出しタイミングを決定する。
【００３４】
ところで、画像形成装置１０では、ポリゴンモーター３３２Ｂの経時劣化などにより、ポリゴンモーター３３２Ｂの回転速度が周期的に変動することがある。この場合、感光体ドラム３１上に形成される静電潜像に含まれる画素各々の幅が不揃いとなって、画像形成装置１０で印刷される画像の画質が低下することがある。これに対し、ポリゴンモーター３３２Ｂの交換又はメンテナンスによって画質を改善させることが可能である。しかしながら、画像形成装置１０で画質の低下が確認された後にポリゴンモーター３３２Ｂの交換又はメンテナンスが行われる場合には、画質が低下した印刷物の出力を未然に防止することができない。
【００３５】
これに対し、本発明の実施形態に係る画像形成装置１０では、以下に説明するように、ポリゴンモーター３３２Ｂの挙動異常によって画質が低下した印刷物の出力を未然に防止することが可能である。
【００３６】
音圧センサー３３７は、走査ユニット３３２の駆動音の音圧を検出する。例えば、音圧センサー３３７は、ポリゴンミラー３３２Ａの下側に配置されて、ポリゴンミラー３３２Ａの駆動音の音圧を検出する。例えば、音圧センサー３３７は、ポリゴンミラー３３２Ａで発生する駆動音の音圧に応じた電気信号を出力する圧電素子を含む電子回路である。音圧センサー３３７から出力される電気信号は、制御部５に入力される。なお、音圧センサー３３７は、ポリゴンモーター３３２Ｂの駆動音の音圧を検出してもよい。
【００３７】
ここで、ポリゴンモーター３３２Ｂの回転速度が周期Ｔで変動すると、ポリゴンモーター３３２Ｂによって回転されるポリゴンミラー３３２Ａの回転速度も、周期Ｔで変動する。これにより、音圧センサー３３７によって検出されるポリゴンミラー３３２Ａの駆動音の音圧は、図４に示されるように、周期Ｔで変動する。即ち、音圧センサー３３７から出力される電気信号には、ポリゴンモーター３３２Ｂの回転速度の変動周期及び変動量を示す情報が含まれる。
【００３８】
また、制御部５の前記ＲＯＭには、前記ＣＰＵに後述の駆動制御処理（図６のフローチャート参照）を実行させるための駆動制御プログラムが予め記憶されている。なお、前記駆動制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００３９】
そして、制御部５は、図２に示されるように、音圧検出部５１、駆動制御部５２、及び報知処理部５３を含む。具体的に、制御部５は、前記ＣＰＵを用いて前記ＲＯＭに記憶されている前記駆動制御プログラムを実行する。これにより、制御部５は、音圧検出部５１、駆動制御部５２、及び報知処理部５３として機能する。ここに、光走査部３３及び制御部５を備える装置が、本発明における光走査装置の一例である。
【００４０】
音圧検出部５１は、前記印刷処理の実行前に、走査ユニット３３２の駆動音の音圧を検出する。具体的に、音圧検出部５１は、ポリゴンモーター３３２Ｂが前記印刷処理の実行時における駆動速度で駆動している状態で、音圧センサー３３７を用いて、ポリゴンミラー３３２Ａの駆動音の音圧を検出する。
【００４１】
なお、音圧検出部５１は、音圧センサー３３７を用いて、ポリゴンモーター３３２Ｂの駆動音の音圧を検出してもよい。
【００４２】
駆動制御部５２は、音圧検出部５１によって検出される走査ユニット３３２の駆動音の音圧の変動量（図４参照）が予め定められた第１閾値を超える場合に、ポリゴンモーター３３２Ｂを停止させる。例えば、前記第１閾値は、画像形成装置１０において印刷される画像の画質の低下度合いが予め定められた許容範囲を超える場合の前記変動量である。例えば、前記第１閾値は、画像形成装置１０を用いた前記変動量と画質の低下度合いとの関係性を調査する実験の結果に基づいて設定される。
【００４３】
また、駆動制御部５２は、音圧検出部５１によって検出される走査ユニット３３２の駆動音の音圧の変動量が前記第１閾値以下であって且つ前記第１閾値より小さい第２閾値を超える場合に、ポリゴンモーター３３２Ｂを予め定められた待機時間の間停止させて、前記待機時間の経過後にポリゴンモーター３３２Ｂの駆動を再開させる。
【００４４】
また、駆動制御部５２は、ポリゴンモーター３３２Ｂの駆動の再開後に音圧検出部５１によって検出される走査ユニット３３２の駆動音の音圧の変動量が前記第１閾値以下であって且つ前記第２閾値を超える場合に、ポリゴンモーター３３２Ｂに入力される前記駆動信号の周波数を走査ユニット３３２の駆動音の音圧に応じて変動させる。
【００４５】
具体的に、駆動制御部５２は、走査ユニット３３２の駆動音の音圧が高い場合に、ポリゴンモーター３３２Ｂに入力される前記駆動信号の周波数を低くする。また、駆動制御部５２は、走査ユニット３３２の駆動音の音圧が低い場合に、ポリゴンモーター３３２Ｂに入力される前記駆動信号の周波数を高くする。例えば、駆動制御部５２は、図４及び図５に示されるように、ポリゴンモーター３３２Ｂに入力される前記駆動信号の周波数を、周期Ｔにおける走査ユニット３３２の駆動音の音圧の変化に応じて３段階で切り替える。なお、駆動制御部５２は、前記駆動信号の周波数を４段階以上で切り替えてもよい。
【００４６】
報知処理部５３は、音圧検出部５１によって検出される走査ユニット３３２の駆動音の音圧の変動量が前記第１閾値を超える場合に、ポリゴンモーター３３２Ｂの異常を報知する。
【００４７】
例えば、報知処理部５３は、ポリゴンモーター３３２Ｂの異常を示すメッセージを操作表示部６に表示させる。また、報知処理部５３は、前記メッセージ及び音圧検出部５１によって検出される走査ユニット３３２の駆動音の音圧の変動量を示すデータを含む電子メールを画像形成装置１０の保守作業担当者などの予め定められた送信先に送信してもよい。
【００４８】
なお、報知処理部５３は、制御部５に含まれていなくてもよく、画像形成装置１０が制御部を複数備える場合は、制御部５以外のいずれかに含まれていてもよい。
【００４９】
［駆動制御処理］
以下、図６を参照しつつ、画像形成装置１０において制御部５により実行される駆動制御処理の手順の一例と共に、本発明の駆動制御方法について説明する。ここで、ステップＳ１１、Ｓ１２・・・は、制御部５により実行される処理手順（ステップ）の番号を表している。なお、前記駆動制御処理は、画像形成装置１０において前記印刷処理の実行が指示された場合に実行される。
【００５０】
＜ステップＳ１１＞
まず、ステップＳ１１において、制御部５は、走査ユニット３３２の駆動音の音圧を検出する。ここに、ステップＳ１１の処理が、本発明における検出ステップの一例であって、制御部５の音圧検出部５１により実行される。
【００５１】
具体的に、制御部５は、ポリゴンモーター３３２Ｂが前記印刷処理の実行時における駆動速度で駆動している状態で、音圧センサー３３７を用いて、ポリゴンミラー３３２Ａの駆動音の音圧を検出する。
【００５２】
＜ステップＳ１２＞
ステップＳ１２において、制御部５は、ステップＳ１１で検出された走査ユニット３３２の駆動音の音圧の変動量が前記第１閾値を超えるか否かを判断する。
【００５３】
ここで、制御部５は、走査ユニット３３２の駆動音の音圧の変動量が前記第１閾値を超えると判断すると（Ｓ１２のＹｅｓ側）、処理をステップＳ１２１に移行させる。また、走査ユニット３３２の駆動音の音圧の変動量が前記第１閾値を超えていなければ（Ｓ１２のＮｏ側）、制御部５は、処理をステップＳ１３に移行させる。
【００５４】
＜ステップＳ１２１＞
ステップＳ１２１において、制御部５は、ポリゴンモーター３３２Ｂの駆動を停止させる。ここに、ステップＳ１２１の処理が、本発明における制御ステップの一例であって、制御部５の駆動制御部５２により実行される。これにより、ポリゴンモーター３３２Ｂの挙動異常によって画質が低下した印刷物の出力が未然に防止される。
【００５５】
＜ステップＳ１２２＞
ステップＳ１２２において、制御部５は、ポリゴンモーター３３２Ｂの異常を報知する。ここで、ステップＳ１２２の処理は、制御部５の報知処理部５３により実行される。
【００５６】
例えば、制御部５は、ポリゴンモーター３３２Ｂの異常を示すメッセージを操作表示部６に表示させる。これにより、ユーザーは、ポリゴンモーター３３２Ｂの交換又はメンテナンスを画像形成装置１０の保守作業担当者に依頼することで、ポリゴンモーター３３２Ｂの挙動異常による画質の低下を解消させることが可能である。
【００５７】
また、制御部５は、前記メッセージを操作表示部６に表示させると共に、前記メッセージ及びステップＳ１１で検出された走査ユニット３３２の駆動音の音圧の変動量を示すデータを含む電子メールを画像形成装置１０の保守作業担当者などの予め定められた送信先に送信してもよい。これにより、ユーザーにおけるポリゴンモーター３３２Ｂの交換又はメンテナンスを画像形成装置１０の保守作業担当者に依頼する手間が省かれる。
【００５８】
なお、ステップＳ１２２の処理は省略されてもよい。
【００５９】
＜ステップＳ１３＞
ステップＳ１３において、制御部５は、ステップＳ１１で検出された走査ユニット３３２の駆動音の音圧の変動量が前記第２閾値を超えるか否かを判断する。
【００６０】
ここで、制御部５は、走査ユニット３３２の駆動音の音圧の変動量が前記第２閾値を超えると判断すると（Ｓ１３のＹｅｓ側）、処理をステップＳ１４に移行させる。また、走査ユニット３３２の駆動音の音圧の変動量が前記第２閾値を超えていなければ（Ｓ１３のＮｏ側）、制御部５は、処理をステップＳ２０に移行させる。
【００６１】
＜ステップＳ１４＞
ステップＳ１４において、制御部５は、ポリゴンモーター３３２Ｂの駆動を停止させる。
【００６２】
＜ステップＳ１５＞
ステップＳ１５において、制御部５は、ステップＳ１４によるポリゴンモーター３３２Ｂの駆動の停止時から前記待機時間の経過後に、ポリゴンモーター３３２Ｂの駆動を再開させる。ここで、ステップＳ１４及びステップＳ１５の処理は、制御部５の駆動制御部５２により実行される。これにより、ポリゴンモーター３３２Ｂの挙動異常がポリゴンモーター３３２Ｂの温度上昇に起因する場合には、ポリゴンモーター３３２Ｂの温度が前記待機時間の間に低下して、ポリゴンモーター３３２Ｂの挙動異常が解消される。そのため、後述するステップＳ２０において画質が低下した印刷物が出力されることが未然に防止される。
【００６３】
＜ステップＳ１６＞
ステップＳ１６において、制御部５は、ステップＳ１１と同様に、走査ユニット３３２の駆動音の音圧を検出する。
【００６４】
＜ステップＳ１７＞
ステップＳ１７において、制御部５は、ステップＳ１２と同様に、ステップＳ１６で検出された走査ユニット３３２の駆動音の音圧の変動量が前記第１閾値を超えるか否かを判断する。
【００６５】
ここで、制御部５は、走査ユニット３３２の駆動音の音圧の変動量が前記第１閾値を超えると判断すると（Ｓ１７のＹｅｓ側）、処理をステップＳ１２１に移行させる。また、走査ユニット３３２の駆動音の音圧の変動量が前記第１閾値を超えていなければ（Ｓ１７のＮｏ側）、制御部５は、処理をステップＳ１８に移行させる。
【００６６】
＜ステップＳ１８＞
ステップＳ１８において、制御部５は、ステップＳ１３と同様に、ステップＳ１６で検出された走査ユニット３３２の駆動音の音圧の変動量が前記第２閾値を超えるか否かを判断する。
【００６７】
ここで、制御部５は、走査ユニット３３２の駆動音の音圧の変動量が前記第２閾値を超えると判断すると（Ｓ１８のＹｅｓ側）、処理をステップＳ１９に移行させる。また、走査ユニット３３２の駆動音の音圧の変動量が前記第２閾値を超えていなければ（Ｓ１８のＮｏ側）、制御部５は、処理をステップＳ２０に移行させる。
【００６８】
＜ステップＳ１９＞
ステップＳ１９において、制御部５は、ポリゴンモーター３３２Ｂに入力される前記駆動信号の周波数を、ステップＳ１６で検出された走査ユニット３３２の駆動音の音圧に応じて変動させる。ここで、ステップＳ１９の処理は、制御部５の駆動制御部５２により実行される。
【００６９】
例えば、制御部５は、ステップＳ１６で検出された走査ユニット３３２の駆動音の音圧の変動周期及び変動量が図４に示されるものである場合に、ポリゴンモーター３３２Ｂに入力される前記駆動信号の周波数を図５に示されるように変動させる。これにより、ポリゴンモーター３３２Ｂの回転速度の周期的な変動が抑制される。そのため、後述するステップＳ２０において画質が低下した印刷物が出力されることが未然に防止される。
【００７０】
なお、ステップＳ１３〜ステップＳ１７までの処理は省略されてもよい。また、ステップＳ１３〜ステップＳ１９までの処理は省略されてもよい。また、ステップＳ１９の処理は省略されてもよい。この場合、ステップＳ１８で走査ユニット３３２の駆動音の音圧の変動量が前記第２閾値を超えていると判断された場合に、処理をステップＳ１２１に移行させることが考えられる。
【００７１】
＜ステップＳ２０＞
ステップＳ２０において、制御部５は、前記印刷処理を実行する。
【００７２】
このように、画像形成装置１０では、前記印刷処理の実行前に音圧検出部５１によって走査ユニット３３２の駆動音の音圧が検出されて、検出された音圧の変動量が前記第１閾値を超える場合に、ポリゴンモーター３３２Ｂの駆動が停止される。これにより、ポリゴンモーター３３２Ｂの挙動異常によって画質が低下した印刷物が出力されることが未然に防止される。
【符号の説明】
【００７３】
１    ＡＤＦ
２    画像読取部
３    画像形成部
４    給紙部
５    制御部
６    操作表示部
１０  画像形成装置
３３  光走査部
５１  音圧検出部
５２  駆動制御部
５３  報知処理部
３３０  筐体
３３０Ａ  射出口
３３１  光源
３３２  走査ユニット
３３２Ａ  ポリゴンミラー
３３２Ｂ  ポリゴンモーター
３３３  ｆθレンズ
３３４  ｆθレンズ
３３５  全反射ミラー
３３６  光センサー
３３７  音圧センサー
【図１】
2018072552.tif 000003
【図２】
2018072552.tif 000004
【図３】
2018072552.tif 000005
【図４】
2018072552.tif 000006
【図５】
2018072552.tif 000007
【図６】
2018072552.tif 000008